(57)【要約】【課題】本考案は、騒音や故障の原因となる冷却ファンの無い熱交換効率の良い、環境に優しい電子冷蔵庫を提供する。【解決手段】ペルチェモジュール２を使用して冷却する冷蔵庫であって、銅製ヒートパイプ３複数本を挟んで左右に配置したアルミ製放熱フィン４との組み合わせにより構成したヒートパイプ放熱ユニット１を、庫外背面に取付け室内の空気対流により冷却ファンが無くても効率的に放熱される。【選択図】図１
0003205225.tif 000002
【実用新案登録請求の範囲】
【請求項１】
ペルチェモジュールを使用して冷却する冷蔵庫であって、（１）吸熱部には庫内に配設されたアルミ板に密着させて取付け、ファンを必要としないで庫内を冷却する。（２）発熱部には銅製ヒートパイプとこれを挟んで左右にアルミ製放熱フィンで構成した、ヒートパイプ放熱ユニットを庫外背面に取り付け、室内の空気対流により放熱する。
ヒートパイプ放熱ユニットは、（３）微量の純水を封入した銅製ヒートパイプを複数本用いる。これにより、ペルチェモジュール発熱部で加熱された銅管内の純水の冷媒が水蒸気になり効率的に熱移送される。（４）等間隔に数拾枚で構成されたアルミ製放熱フィンに貫通させた複数本の銅管からの伝熱を放熱することを特徴とする電子冷蔵庫。
【請求項２】
ドアの開閉は、（１）庫内入口側とドア内側に数箇所磁石を対称に配設し、更に（２）ドア内側の凹部にパッキンを取付け、庫内入口側に形成された凸部にドアを密着することができる。（３）庫内の左右壁面に対称に配設しているガイドレールとドア内側に相対して配設している、バスケットを載せているガイドレールの各々の傾斜部と滑車により、庫内奥まで自動的に引き込まれる機能がある為、冷蔵庫本体とドアが完全に密着し閉め忘れ防止になる請求項１記載の電子冷蔵庫。
【考案の詳細な説明】
【技術分野】
【０００１】  本考案は、騒音や故障の原因となる冷却ファンの無い熱交換効率の良い、環境に優しい電子冷蔵庫に関するものである。
【背景技術】
【０００２】  従来の電子冷蔵庫は、放熱器にフロンや代替フロンを使用したものと、アルミ放熱器にファンモーター使用しているものがある。特に病院やホテル等では環境問題からフロンを使用しない製品と、ファンの騒音や故障の無い環境に優しい製品を求めている。
【考案の開示】
【考案が解決しようとする課題】
【０００３】  放熱ユニットに代替フロン系のガス等を使用しないで、完全無害で廃棄処理時に費用の掛からない製品が無かった。【０００４】  従来からヒートパイプの放熱にファンモーターを使用しているが、騒音や故障のトラブルやメンテナンスに悩まされている。
【課題を解決するための手段】
【０００５】  ペルチェモジュールを使用して冷却するので、吸熱部には庫内に配設されたアルミ板に密着させて取付け、ファンを必要としないで庫内を冷却する。【０００６】  発熱部には銅製ヒートパイプとアルミ製フィンで構成した、ヒートパイプ放熱ユニットを庫外背面に取付け室内の空気対流により放熱する。【０００７】  ヒートパイプ放熱ユニットは、微量の純水を真空封入した銅製ヒートパイプを複数本用いる。これにより、ペルチェモジュール発熱部で加熱された銅管内の純水の冷媒が水蒸気になり効率的に熱移送されるので、等間隔に数拾枚で構成されたアルミ製フィンに貫通させた複数本の銅管からの伝熱を放熱する。【０００８】  ドアの開閉は、庫内入口側とドア内側に数箇所磁石を対称に配設し、更にドア内側の凹部にパッキンを取付け、庫内入口側に形成された凸部にドアを密着することが出来る。【０００９】  庫内の左右壁面に対称に配設しているガイドレールとドア内側に相対して配設している、バスケットを載せているガイドレールの各々の傾斜部と滑車により、庫内奥まで自動的に引込まれる機能がある為、冷蔵庫本体とドアが完全に密着し閉め忘れ防止になる。【００１０】  衛生及び安全面から部材（プラスチック）には、抗菌剤を添加し成型しているのでカビ・菌・臭い等の発生を抑制する。
【考案の効果】
【００１１】  上述の様に、従来の代替フロンガス使用の放熱器とファンモーターを使用した冷蔵庫と比較すると、この電子冷蔵庫は環境に優しく安全無害で衛生的に優れ廃棄処分しても環境に悪影響を起こさない。騒音や故障の発生が無くメンテナンスの費用も低減されるので病院・ホテル等からの需要が見込まれる。
【考案を実施するための最良の形態】
【００１２】  以下、本考案の実施形態を図１〜図５に基づいて説明する。【００１３】  図１に於いて、１はヒートパイプ放熱ユニットで２はペルチェモジュールである。３の銅製ヒートパイプは複数本用い５は微量の純水を真空封入した銅管封止部である。４はアルミ製フィン部で３の左右に４ａ、ｂのアルミ製フィンが配設されている。【００１４】  図２は、１を側面から視た図で６の銅管保持穴２箇所に３が貫通している。７は放熱穴である。８はヒートパイプ放熱ユニット取付部で１を庫外背面にネジ止めする。【００１５】  図３の９は、冷蔵庫本体で１０は庫内、１１は庫内取付アルミ板で２の吸熱部と密着して１０を冷やす。１２は滑車付ガイドレールで１０の側面に左右対称に配設する。１２の庫内側面奥は１３のガイドレール傾斜部があり１４のドアが自動的に引込まれる機能がある。１５はドア突出しピン付取っ手で１９の庫内側磁石のドア密着面４箇所と２０のドア側磁石の庫内密着面４箇所が対称に配設しているので１４を引き出す際には１５を手前に引くと互いの密着面が離れる。１６のドア取っ手は２５のバスケットを引出す役目をする。１７のドア庫内側凹部にはパッキンがついているので１８の庫内側入口凸部が合わさると隙間のない状態が維持される。【００１６】  図４は、１０の側面に１２を左右対称にネジ止めする。１３は傾斜部。【００１７】  図５は、２２の滑車付ガイドレールは２５が載せられるように枠状に作られている。１４の庫内側に左右対称に取付る。２３のガイドレールドア側傾斜部が庫内入口に１３が庫内奥に位置することで２５が１０に収まる。
【図面の簡単な説明】
【００１８】
【図１】  本考案のヒートパイプ放熱ユニットの概略平面図
【図２】  本考案図１の概略側面図
【図３】  本電子冷蔵庫の実施形態を示す本体とドアの断面図
【図４】  本考案図３の庫内側面左・右に配設するガイドレールの側面図
【図５】  本考案図３のドア内側に取付るバスケット保持部を兼ねるガイドレールの側面図
【符号の説明】
【００１９】１    ヒートパイプ放熱ユニット
２    ペルチェモジュール
３    銅製ヒートパイプ
４    アルミ製放熱フィン部
４ａ，ｂ  アルミ製放熱フィン
５    銅管封止部
６    銅管保持穴
７    放熱穴
８    ヒートパイプ放熱ユニット取付部
９    冷蔵庫本体
１０  庫内
１１  庫内取付アルミ板
１２  滑車付ガイドレール（庫内側面左・右対称に取付）
１３  ガイドレール傾斜部（庫内側面奥）
１４  ドア
１５  ドア突出しピン付取っ手
１６  ドア取っ手
１７  ドア庫内側凹部（パッキン取付部）
１８  庫内側入口凸部
１９  庫内側磁石（ドア密着面４箇所）
２０  ドア側磁石（庫内密着面４箇所）
２１  電源部
２２  滑車付ガイドレール（ドアの庫内側に取付）
２３  ガイドレールドア側傾斜部
２４  断熱発泡材
２５  バスケット
【図１】
0003205225.tif 000003
【図２】
0003205225.tif 000004
【図３】
0003205225.tif 000005
【図４】
0003205225.tif 000006
【図５】
0003205225.tif 000007
【手続補正書】
【提出日】平成28年4月20日(2016.4.20)
【手続補正１】
【補正対象書類名】実用新案登録請求の範囲
【補正対象項目名】全文
【補正方法】変更
【補正の内容】
【実用新案登録請求の範囲】
【請求項１】
ペルチェモジュールを使用して冷却する冷蔵庫であって、（１）吸熱部には庫内に配設されたアルミ板に密着させて取付け、ファンを必要としないで庫内を冷却し、（２）発熱部には銅製ヒートパイプとこれを挟んで左右にアルミ製放熱フィンで構成した、ヒートパイプ放熱ユニットを庫外背面に取り付け、室内の空気対流により放熱し、（３）ヒートパイプ放熱ユニットは、微量の純水を封入した銅製ヒートパイプを複数本用い、これによりペルチェモジュール発熱部で加熱された銅管内の純水の冷媒が水蒸気になり効率的に熱移送され、（４）等間隔に数拾枚で構成されたアルミ製放熱フィンに貫通させた複数本の銅管からの伝熱を放熱すること、以上の（１）〜（４）の構成からなる電子冷蔵庫。
【請求項２】
ドアの開閉は、（１）庫内入口側とドア内側に数箇所磁石を対称に配設し、（２）ドア内側の凹部にパッキンを取付け、庫内入口側に形成された凸部にドアを密着することができ、（３）庫内の左右壁面に対称に配設しているガイドレールとドア内側に相対して配設している、バスケットを載せているガイドレールの各々の傾斜部と滑車により、庫内奥まで自動的に引き込まれる機能がある為、冷蔵庫本体とドアが完全に密着し閉め忘れ防止になる、以上の（１）〜（３）の構成からなる請求項１記載の電子冷蔵庫。